(57)【要約】【課題】收納に便利で携帯し易く、しかも美しい携帯式アンテナ装置を提供する。【解決手段】主に携帯式アンテナはアンテナ、セットトップボックス、電子設備、信号線、收納装置を含む。前記アンテナはアナログ信号を受信可能で、前記セットトップボックスは前記アンテナが受信したアナログ信号をデジタル信号に転換可能で、転換後は電子設備に伝送する。前記信号線は前記アンテナが受信したアナログ信号の前記セットトップボックスへの伝送に用い、前記收納装置は前記セットトップボックスと前記信号線を収納可能で、しかも前記アンテナを前記收納装置上に固設する。上記構造により、本考案の携帯式アンテナはコンパクトかつ携帯に便利なアンテナの機能を達成し、しかも美しい外観と便利な使用性能という長所を備える。【選択図】図２
0003130504.tif 000002
【実用新案登録請求の範囲】
【請求項１】
主にアンテナ、セットトップボックス、信号線、收納装置を含み、
前記アンテナはアナログ信号を受信可能であり、
前記セットトップボックスは前記アンテナが受信した前記アナログ信号をデジタル信号に転換し、転換後は電子設備に伝送し、
前記信号線は前記アンテナが受信した前記アナログ信号を前記セットトップボックスに伝送し、
前記收納装置は前記セットトップボックスと前記信号線とを収納可能であり、かつ、前記アンテナは前記收納装置に固設されることを特徴とする携帯式アンテナ装置。
【請求項２】
前記收納装置は蓋体と容置底台とを含むことを特徴とする請求項１記載の携帯式アンテナ装置。
【請求項３】
前記蓋体はピボットにより前記容置底台に固設されることを特徴とする請求項２記載の携帯式アンテナ装置。
【請求項４】
前記セットトップボックスは信号孔を備え、前記信号線を挿入し、これにより前記信号線上の前記アナログ信号を前記セットトップボックスに送入することを特徴とする請求項１記載の携帯式アンテナ装置。
【請求項５】
前記セットトップボックスは電子装置を備え、入力された前記アナログ信号を前記電子設備が受信可能なデジタル信号に転換することを特徴とする請求項１記載の携帯式アンテナ装置。
【請求項６】
前記セットトップボックスはＵＳＢインターフェースを備え、前記デジタル信号を前記電子設備に伝送することを特徴とする請求項１記載の携帯式アンテナ装置。
【請求項７】
前記信号線の材質は銅又はアルミニウムであり、その一端には信号線ジョイントを備え、前記セットトップボックスの信号孔と電気的に連接することを特徴とする請求項１記載の携帯式アンテナ装置。
【請求項８】
前記アンテナは前記蓋体の平面プリントアンテナに固設することを特徴とする請求項１記載の携帯式アンテナ装置。
【請求項９】
前記信号線の前記信号線ジョイントを設置する反対端は前記アンテナと電気的に連接し、前記アンテナが受信した前記アナログ信号を前記セットトップボックスに出力することを特徴とする請求項１記載の携帯式アンテナ装置。
【請求項１０】
前記携帯式アンテナ装置はさらに信号アンプを含み、前記信号アンプはインプット端とアウトプット端を備え、それぞれ前記アンテナ及び前記信号線の前記信号線ジョイントを設置する反対端と電気的に連接し、前記アンテナが受信した前記アナログ信号を前記信号線により前記セットトップボックスに拡大出力することを特徴とする請求項１記載の携帯式アンテナ装置。
【考案の詳細な説明】
【技術分野】
【０００１】
本考案は一種の携帯式アンテナ装置に関する。特に一種の指可セットトップボックス、アンテナ、信号線を容置装置に収納可能で、美しい外観と便利な携帯機能を備える携帯式アンテナ装置に係る。
【背景技術】
【０００２】
アンテナ公知技術の使用時の立体図である図１に示すように、公知技術装置は使用時に信号線３上の信号線ジョイント３１をセットトップボックス２上の信号レシーブ孔２１に挿入し、さらにセットトップボックス２上のＵＳＢインターフェース２２と電子設備４上のＵＳＢインターフェース４１を電気的に連接する。電子設備４はコンピュータなどである。
【０００３】
こうして伝統的アンテナ１によりアナログ信号を受信し、順番に伝統的アンテナ信号アウトプット端１１、信号線ジョイントの反対端３２を設置する信号線、信号線３、信号線ジョイント３１、信号レシーブ孔２１を経由し、セットトップボックス２に伝送される。セットトップボックス２は受信したアナログ信号をデジタル信号に転換し、セットトップボックス２上のＵＳＢインターフェース２２と電子設備４上のＵＳＢインターフェース４１との連接を経由し、電子設備４はこのデジタル信号を受信する。
【０００４】
該装置はアナログ信号をデジタル信号に転換し電子設備に出力することはできるが、現代人の機動的で、かつ高い効率を追及する仕事と生活の方式には適合できていない。ノートＰＣなど携帯式電子設備の普及に伴い、ますます多くの人が携帯式電子設備を携帯し移動するようになっており、加えてラジオ放送及び無線テレビ信号など無線信号の多様化により、より多くの人がどこででも無線信号を受信できるようになっている。しかし、公知技術の多種の装置は携帯に不便で、しかも外観が美しくないため、このニーズを満たすことができない。
【考案の開示】
【考案が解決しようとする課題】
【０００５】
本考案は上記構造の問題点を解決した收納に便利で携帯し易く、しかも美しい携帯式アンテナを開発するものである。
【課題を解決するための手段】
【０００６】
上記課題を解決するため、本考案は下記の携帯式アンテナ装置を提供する。
【０００７】
それは主に携帯式アンテナ装置を提供し、それは各構成部品を容置装置中に簡単に収納可能で、すなわち容置装置は無線信号を受信するアンテナ、信号線、セットトップボックスを含む構成部品を内部に收納可能で、こうして外観を美しくし、かつ携帯が容易となり、さらにコンピュータが既に多くの人の生活に欠かすことができないものとなっている現況とノートＰＣの急速な普及に鑑み、近い将来、オフィス、家庭、公共環境などどこででも簡単に電子設備が使用可能となり、本考案の携帯が容易な携帯式アンテナの使用を合わせれば、テレビ観賞、ラジオ放送視聴などの受信した無線信号を電子設備上で使用することができるようになり、こうしていつでもどこでも無線信号を受信する目的を達成し、すなわち本考案の携帯式アンテナはアンテナ、セットトップボックス、信号線、收納装置を含み、前記アンテナはアナログ信号を受信可能で、前記セットトップボックスは前記アンテナが受信した前記アナログ信号をデジタル信号に転換し、転換後は電子設備に伝送し、前記信号線は前記アンテナが受信した前記アナログ信号を前記セットトップボックスに伝送し、前記收納装置は前記アンテナ、前記セットトップボックス、前記信号線を収納可能で、しかも前記アンテナは前記收納装置に固設され、これにより外観が美しくしかも収納に便利な携帯式アンテナ装置を提供する。
【考案の効果】
【０００８】
上記のように、本考案は実用新案の要件である新規性、進歩性、産業上の利用可能性に完全に符合している。新規性と進歩性について言えば、本考案はアンテナ装置を收納装置中に統合し、使用に便利なアンテナ装置とし、無線信号を受信する目的を達成する。産業上の利用可能性についても、本考案から派生した製品は現在の市場ニーズを十分に満たすことができると言える。
【考案を実施するための最良の形態】
【０００９】
本考案携帯式アンテナ装置の実施例の組合せ図である図２に示すように、本考案はセットトップボックス２、平面プリントアンテナ６、信号線３、容置装置５を含む。
【００１０】
セットトップボックス２は信号レシーブ孔２１を供え、アナログ信号の受信に用い、さらにＵＳＢインターフェース２２を備えデジタル信号を電子設備に伝送する。
【００１１】
平面プリントアンテナ６は平面プリントアンテナ信号アウトプット端６１を備える。
【００１２】
信号線３の一端には信号線ジョイント３１を備え、セットトップボックス２上の信号レシーブ孔２１と電気的に連接し、信号線ジョイント３１を設置する信号線３の反対端３２は、平面プリントアンテナ信号アウトプット端６１と電気的に連接する。
【００１３】
容置装置５は容置底台５１と蓋体５２を備え、蓋体５２の構造設計は平面プリントアンテナ６と相互に対応する。これにより平面プリントアンテナ６は蓋体５２上に固設され、例えば、平面プリントアンテナ６を蓋体５２において係合し、容置底台５１の片面のリムに向かい、蓋体５２は蓋体５２上に固設するピボット装置５２１と容置底台５１上に固設するピボット固設装置５１１により、容置底台５１上にいて可動設置される。蓋体５２には凸嵌合部品５２２を設置し、容置底台５１上の凹嵌合部品５１２に設置され、こうして蓋体５２と容置底台５１は緊密に蓋合し移動が発生することはない。容置底台５１上には固定凹槽５１３を設置し、使用時には信号線３を固定する。
【００１４】
本考案携帯式アンテナ装置の上記実施例における收納時の立体図である図３に示すように、平面プリントアンテナ６は蓋体５２上に固設され、しかも信号線３とセットトップボックス２は容置底台５１内に収納される。
【００１５】
本考案携帯式アンテナ装置の上記実施例における收納完成時の立体図である図４に示すように、容置装置５は收納完成時、凸嵌合部品５２２と凹嵌合部品５１２の嵌合により、容置装置５は封鎖空間を形成し、プリントアンテナ６、信号線３、セットトップボックス２を内部に収容する。
【００１６】
本考案携帯式アンテナ装置の上記実施例における收納完成時の側面断面図である図５に示すように、容置装置５は蓋体５２と容置底台５１が形成する封鎖空間によりプリントアンテナ６、信号線３、セットトップボックス２を収納する。
【００１７】
本考案携帯式アンテナ装置の上記実施例における使用時の立体図である図６に示すように、本装置の使用時には容置装置５を開き、蓋体５２と容置底台５１はおよそ９０度の角度を呈する。
【００１８】
信号線３は固定凹槽５１３上に位置し、滑動し散乱しないように信号線３は固定される。信号線３上の信号線ジョイント３１はセットトップボックス２上の信号レシーブ孔２１に送入され、さらにセットトップボックス２上のＵＳＢインターフェース２２と電子設備４上のＵＳＢインターフェース４１は電気的に連接する。ここで言う電子設備４はコンピュータで、こうして平面プリントアンテナ６によりアナログ信号を受信し、順番に平面プリントアンテナ６の信号アウトプット端６１、信号線３の信号線ジョイント３１を設置する反対端３２、信号線３、信号線ジョイント３１、信号レシーブ孔２１を経由し、セットトップボックス２に至る。セットトップボックス２は受信したアナログ信号をデジタル信号に転換し、セットトップボックス２上のＵＳＢインターフェース２２により電子設備４上のＵＳＢインターフェース４１に伝送し、電子設備４はこのデジタル信号を受信する。
【００１９】
本考案携帯式アンテナ装置の別種の実施例の組合せ図である図７に示すように、本実例と図２に示す実施例は凡そ同一である。唯一の差異は信号アンプ７を追加する点である。しかも平面プリントアンテナ信号アウトプット端６１と信号アンプ７上の信号レシーブ端７１は電気的に相互に接続し、信号アンプ７上の信号アウトプット端７２と信号線３の信号線ジョイント３１を設置する反対端３２は電気的に相互に接続する。こうして受信したアナログ信号を拡大後出力し、信号の強度を増強可能で、信号の出力品質を向上させることができる。
【図面の簡単な説明】
【００２０】
【図１】アンテナ公知技術の使用時の立体図である。
【図２】本考案に係る携帯式アンテナ装置の実施例の組合せ図である。
【図３】本考案に係る携帯式アンテナ装置の上記実施例における收納時の立体図である。
【図４】本考案に係る携帯式アンテナ装置の上記実施例における收納完成時の立体図である。
【図５】本考案に係る携帯式アンテナ装置の上記実施例における收納完成時の側面断面図である。
【図６】本考案に係る携帯式アンテナ装置の上記実施例における使用時の立体図である。
【図７】本考案に係る携帯式アンテナ装置の別種の実施例の組合せ図である。
【符号の説明】
【００２１】
１      伝統的アンテナ
１１    伝統的アンテナ信号アウトプット端
２      セットトップボックス
２１    信号レシーブ孔
２２    ＵＳＢインターフェース
３      信号線
３１    信号線ジョイント
３２    信号線の信号線ジョイントを設置する反対端
４      電子設備
４１    ＵＳＢインターフェース
５      容置装置
５１    容置底台
５１１  ピボット固設装置
５１２  凹嵌合部品
５１３  固定凹槽
５２    蓋体
５２１  ピボット装置
５２２  凸嵌合部品
６      平面プリントアンテナ
６１    平面プリントアンテナ信号アウトプット端
７      信号アンプ
７１    信号レシーブ端
７２    信号アウトプット端
【図１】
0003130504.tif 000003
【図２】
0003130504.tif 000004
【図３】
0003130504.tif 000005
【図４】
0003130504.tif 000006
【図５】
0003130504.tif 000007
【図６】
0003130504.tif 000008
【図７】
0003130504.tif 000009